(57)【要約】      （修正有）【課題】適切な時期にフィルターを交換できるようにするシステム及び方法の提供。【解決手段】空気清浄機に備えられたフィルターを動作させるモータの回転速度を測定するモータ速度測定部３１０と、モータに電源を供給してモータが回転を開始する時、またはモータに供給される電源を遮断する時を始点としてそれ以後の時間をカウントする時間カウント部３２０と、モータの回転速度が既設定された速度に達したかを判断する速度判断部３３０と、速度判断部が、モータの回転速度が既設定された速度に達したと判断した時、時間カウント部からカウントされた時間に関する情報を受信してカウントされた時間を既設定された時間と比較する時間比較部３４０と、モータの回転速度が既設定された速度に達するまでの時間と既設定された時間との比較結果によってフィルターの交換時期になったか否かを判断するフィルター交換時期判断部３５０とを含む。【選択図】図３
2010012463.tif 000002
【特許請求の範囲】
【請求項１】
空気清浄機に備えられたフィルターを動作させるモータの回転速度を測定するモータ速度測定部と、
前記モータに電源を供給して前記モータが回転を開始する時、または前記モータに供給される電源を遮断する時を始点としてそれ以後の時間をカウントする時間カウント部と、
前記モータの回転速度が既設定された速度に達したかを判断する速度判断部と、
前記速度判断部が、前記モータの回転速度が既設定された速度に達したと判断した時、前記時間カウント部からカウントされた時間に関する情報を受信して前記カウントされた時間を既設定された時間と比較する時間比較部と、
前記モータの回転速度が既設定された速度に達するまでの時間と既設定された時間との比較結果によって前記フィルターの交換時期になったか否かを判断するフィルター交換時期判断部と、
を含むことを特徴とするモータの速度測定を用いた空気清浄機のフィルター交換時期判断システム。
【請求項２】
前記時間カウント部は、前記モータに電源を供給して前記モータが回転を開始する時を始点としてそれ以後の時間をカウントし、前記既設定された速度は目標速度であり、前記モータの回転速度が前記目標速度に達するまでの時間が既設定された時間より短い場合、前記フィルター交換時期判断部は前記フィルターの交換時期になったと判断することを特徴とする請求項１に記載のモータの速度測定を用いた空気清浄機のフィルター交換時期判断システム。
【請求項３】
前記モータの回転速度が既設定された速度である時、前記モータに供給される電源を遮断する電源遮断部をさらに含み、前記電源遮断部が前記モータに供給される電源を遮断する時、前記時間カウント部は、前記モータに供給される電源を遮断する時を始点としてそれ以後の時間をカウントし、前記速度判断部は、前記モータの回転速度が０に達するか否かを判断し、前記時間比較部は、前記モータの回転速度が０に達するまでの時間を既設定された時間と比較し、前記モータの回転速度が０に達するまでの時間が既設定された時間より長い場合、前記フィルター交換時期判断部は、前記フィルターの交換時期になったと判断することを特徴とする請求項１に記載のモータの速度測定を用いた空気清浄機のフィルター交換時期判断システム。
【請求項４】
前記フィルター交換時期判断部は、前記フィルターの交換時期になった時、前記フィルターの交換信号を知らせるメッセージまたはアラーム信号を表示部に出力することを特徴とする請求項１に記載のモータの速度測定を用いた空気清浄機のフィルター交換時期判断システム。
【請求項５】
空気清浄機に備えられたフィルターを動作させるモータの回転速度を測定するステップと、
前記モータに電源を供給して前記モータが回転を開始する時、または前記モータに供給される電源を遮断する時を始点としてそれ以後の時間をカウントするステップと、
前記モータの回転速度が既設定された速度に達したかを判断するステップと、
前記モータの回転速度が既設定された速度に達したと判断した時、前記カウントされた時間を既設定された時間と比較するステップと、
前記モータの回転速度が既設定された速度に達するまでの時間と既設定された時間との比較結果によって前記フィルターの交換時期になったか否かを判断するステップと、
を含むことを特徴とするモータの速度測定を用いた空気清浄機のフィルター交換時期判断方法。
【請求項６】
前記時間をカウントするステップは、前記モータに電源を供給して前記モータが回転を開始する時を始点としてそれ以後の時間をカウントし、前記既設定された速度は目標速度であり、前記フィルターの交換時期になったか否かを判断するステップは、前記モータの回転速度が前記目標速度に達するまでの時間が既設定された時間より短い場合、前記フィルターの交換時期になったと判断することを特徴とする請求項５に記載のモータの速度測定を用いた空気清浄機のフィルター交換時期判断方法。
【請求項７】
前記モータの回転速度が既設定された速度である時、前記モータに供給される電源を遮断するステップをさらに含み、前記電源を遮断するステップで前記モータに供給される電源を遮断する時、前記時間をカウントするステップは、前記モータに供給される電源を遮断する時を始点としてそれ以後の時間をカウントし、前記既設定された速度に達したかを判断するステップは、前記モータの回転速度が０に達するか否かを判断し、前記既設定された時間と比較するステップは、前記モータの回転速度が０に達するまでの時間を既設定された時間と比較し、前記フィルターの交換時期になったかを判断するステップは、前記モータの回転速度が０に達するまでの時間が既設定された時間より長い場合、前記フィルターの交換時期になったと判断することを特徴とする請求項５に記載のモータの速度測定を用いた空気清浄機のフィルター交換時期判断方法。
【請求項８】
前記フィルターの交換時期になった時、前記フィルターの交換信号を知らせるメッセージまたはアラーム信号を表示部に出力するステップをさらに含むことを特徴とする請求項５に記載のモータの速度測定を用いた空気清浄機のフィルター交換時期判断方法。
【発明の詳細な説明】
【技術分野】
【０００１】
本発明の一側面は、モータの速度測定を用いた空気清浄機のフィルター交換時期判断システム及び判断方法に関するもので、特に空気清浄機に備えられたフィルターを動作させるモータの回転速度を測定して、適切な時期にフィルターを交換することができるようにするシステム及び方法に関するものである。
【背景技術】
【０００２】
一般的に、空気清浄機は室内の空気に含まれた各種ほこり及び細菌を除去、または、タバコの臭い及び汗の臭いなどを脱臭して室内の空気を浄化する装置である。
【０００３】
このような空気清浄機は、通常、汚染された空気をファンで吸い込み、フィルターにより０．０３μｍ程度までの微細ほこりや細菌などを集塵して除去するように構成され、室内空気の汚染により減少した陰イオンを発生させて快適な室内環境を提供する。
【０００４】
図１は、従来の空気清浄機に備えられたモータ駆動システムの構成図である。図１に示されたように、電源部２０は、ＳＭＰＳ（Ｓｗｉｔｃｈｉｎｇ  Ｍｏｄｅ  Ｐｏｗｅｒ  Ｓｕｐｐｌｙ）などで構成され、商用電源である交流電圧を直流電圧に変換させ、スイッチング素子駆動部４０は、電源部２０で変換された直流電圧の印加を受けてスイッチング制御信号を発生させる。そして、スイッチング素子５０は、スイッチング制御信号に応じて電源部２０で印加を受けた直流電圧を３相電圧に変換させてモータ１０に印加する。
【０００５】
３相電圧によりモータ１０の巻線（図示省略）から磁場が発生してモータ１０の回転子（図示省略）が回転するようになる。モータ１０の回転子が回転することによって圧縮機（図示省略）が駆動される。
【０００６】
モータ１０の回転子が回転することによって巻線には逆起電力が出力され、逆起電力検知部７０はこのような逆起電力を検出してマイコン６０に印加する。該逆起電力の検出により、マイコン６０は、モータ１０が正確に動作するようにスイッチング素子駆動部４０を制御する。
【０００７】
電源部２０で変換された直流電圧は、高圧発生部３０に供給されて高圧が発生され、集塵フィルター８０は、高圧発生部３０から入力される高電圧を用いて集塵を行うようになる。そして、電源部２０で変換された直流電圧は、マイコン６０に供給されて、マイコン６０では風量調節、汚染度表示、タイマー訂正、陰イオン発生などの機能をし、陰イオン発生部９０は、高圧発生部３０のようにマイナス（−）の高電圧を誘起させて、その出力を陰イオン発生針に供給することによって陰イオンを流出する。
【０００８】
モータ１０に印加される電圧は、ＰＷＭ（Ｐｕｌｓｅ  Ｗｉｄｔｈ  Ｍｏｄｕｌａｔｉｏｎ）波形であり、そのデューティ比（ｄｕｔｙ  ｒａｔｉｏ）が大きいほどモータ１０の駆動力が強くなり、デューティ比が小さいほどモータ１０の駆動力が弱くなる。モータ１０の駆動回路は、ＰＷＭのデューティ比を調節することによってモータ１０の回転速度を調節し、モータ１０はファンを回転させる。
【０００９】
上記のような空気清浄機の使用に当たって、フィルターの汚染度が増加するようになるとフィルターを交換する必要があるが、この場合、空気清浄機を使用した時間を積算してフィルターを交換していた。
【００１０】
従って、従来技術では、正確な汚染度を判断することができず、適切な交換時期にフィルターを交換できないという問題点があった。即ち、汚染度が、適切な汚染度より低い場合にもフィルターを交換することによって不要にフィルターを交換したり、汚染度が、適切な汚染度より高い場合にもフィルターを交換せずに使用していたり、フィルターの機能を十分に発揮できない状況が発生していた。
【発明の概要】
【発明が解決しようとする課題】
【００１１】
本発明の一側面は、空気清浄機に備えられたフィルターを適切な時期に交換することができるようにして、効率的に空気清浄機を使用するとともに、最適な室内環境を造成しようとするシステム及び方法を提供することを目的とする。
【課題を解決するための手段】
【００１２】
本発明の一側面は、空気清浄機に備えられたフィルターを動作させるモータの回転速度を測定するモータ速度測定部と、上記モータに電源を供給して上記モータが回転を開始する時、または上記モータに供給される電源を遮断する時を始点としてそれ以後の時間をカウントする時間カウント部と、上記モータの回転速度が既設定（予め設定）された速度に達したかを判断する速度判断部と、上記速度判断部が、上記モータの回転速度が既設定された速度に達したと判断した時、上記時間カウント部からカウントされた時間に関する情報を受信して上記カウントされた時間を既設定された時間と比較する時間比較部と、上記モータの回転速度が既設定された速度に達するまでの時間と既設定された時間との比較結果によって上記フィルターの交換時期になったか否かを判断するフィルター交換時期判断部と、を含むことを特徴とするモータの速度測定を用いた空気清浄機のフィルター交換時期判断システムを提供する。
【００１３】
本発明の一実施例において、上記時間カウント部は、上記モータに電源を供給して上記モータが回転を開始する時を始点としてそれ以後の時間をカウントし、上記既設定された速度は目標速度であり、上記モータの回転速度が上記目標速度に達するまでの時間が既設定された時間より短い場合、上記フィルター交換時期判断部は上記フィルターの交換時期になったと判断することを特徴とするモータの速度測定を用いた空気清浄機のフィルター交換時期判断システムを提供する。
【００１４】
本発明の他の実施例において、上記モータの回転速度が既設定された速度である時、上記モータに供給される電源を遮断する電源遮断部をさらに含み、上記電源遮断部が上記モータに供給される電源を遮断する時、上記時間カウント部は、上記モータに供給される電源を遮断する時を始点としてそれ以後の時間をカウントし、上記速度判断部は、上記モータの回転速度が０に達するか否かを判断し、上記時間比較部は、上記モータの回転速度が０に達するまでの時間を既設定された時間と比較し、上記モータの回転速度が０に達するまでの時間が既設定された時間より長い場合、上記フィルター交換時期判断部は上記フィルターの交換時期になったと判断することを特徴とするモータの速度測定を用いた空気清浄機のフィルター交換時期判断システムを提供する。
【００１５】
本発明のさらに他の実施例において、上記フィルター交換時期判断部は、上記フィルターの交換時期になった時、上記フィルターの交換信号を知らせるメッセージまたはアラーム信号を表示部に出力することを特徴とするモータの速度測定を用いた空気清浄機のフィルター交換時期判断システムを提供する。
【００１６】
本発明の他の側面は、空気清浄機に備えられたフィルターを動作させるモータの回転速度を測定するステップと、上記モータに電源を供給して上記モータが回転を開始する時、または上記モータに供給される電源を遮断する時を始点としてそれ以後の時間をカウントするステップと、上記モータの回転速度が既設定された速度に達したかを判断するステップと、上記モータの回転速度が既設定された速度に達したと判断した時、上記カウントされた時間を既設定された時間と比較するステップと、上記モータの回転速度が既設定された速度に達するまでの時間と既設定された時間との比較結果によって上記フィルターの交換時期になったか否かを判断するステップと、を含むことを特徴とするモータの速度測定を用いた空気清浄機のフィルター交換時期判断方法を提供する。
【００１７】
本発明の一実施例において、上記時間をカウントするステップは、上記モータに電源を供給して上記モータが回転を開始する時を始点としてそれ以後の時間をカウントし、上記既設定された速度は目標速度であり、上記フィルターの交換時期になったか否かを判断するステップは、上記モータの回転速度が上記目標速度に達するまでの時間が既設定された時間より短い場合、上記フィルターの交換時期になったと判断することを特徴とするモータの速度測定を用いた空気清浄機のフィルター交換時期判断方法を提供する。
【００１８】
本発明の他の実施例において、上記モータの回転速度が既設定された速度である時、上記モータに供給される電源を遮断するステップをさらに含み、上記電源を遮断するステップで上記モータに供給される電源を遮断する時、上記時間をカウントするステップは、上記モータに供給される電源を遮断する時を始点としてそれ以後の時間をカウントし、上記既設定された速度に達したかを判断するステップは、上記モータの回転速度が０に達するか否かを判断し、上記既設定された時間と比較するステップは、上記モータの回転速度が０に達するまでの時間を既設定された時間と比較し、上記フィルターの交換時期になったかを判断するステップは、上記モータの回転速度が０に達するまでの時間が既設定された時間より長い場合、上記フィルターの交換時期になったと判断することを特徴とするモータの速度測定を用いた空気清浄機のフィルター交換時期判断方法を提供する。
【００１９】
本発明のさらに他の実施例において、上記フィルターの交換時期になった時、上記フィルターの交換信号を知らせるメッセージまたはアラーム信号を表示部に出力するステップをさらに含むことを特徴とするモータの速度測定を用いた空気清浄機のフィルター交換時期判断方法を提供する。
【発明の効果】
【００２０】
本発明の一側面によると、空気清浄機に備えられたフィルターを適切な時期に交換することができるようにして、効率的に空気清浄機を使用するとともに、最適な室内環境を造成することができるようにする。
本発明の他の側面によると、空気清浄機に備えられたフィルターの正確な汚染度を判断してフィルターを交換することができるようになり、フィルターの浪費を防ぐとともに、フィルターの空気浄化能力を低下させない。
【図面の簡単な説明】
【００２１】
【図１】従来の空気清浄機に備えられたモータ駆動システムの構成図である。
【図２】本発明のモータの速度測定を用いた空気清浄機のフィルター交換時期判断システムの構成図である。
【図３】図２の制御部の構成図である。
【図４】本発明の第１モードにおいて、フィルターの汚染度が高い場合（ａ）と、低い場合（ｂ）に空気清浄機に備えられたモータから発生するパルス信号を比較したグラフである。
【図５】本発明の第１モードにおいて汚染度が高い場合と低い場合に、モータの回転速度が目標速度に達するまでの時間を比較したグラフである。
【図６】本発明の第１モードにおいてモータの速度測定を用いた空気清浄機のフィルター交換時期判断方法のフローチャートである。
【図７】本発明の第２モードにおいて、フィルターの汚染度が高い場合（ａ）と、低い場合（ｂ）に空気清浄機に備えられたモータから発生するパルス信号を比較したグラフである。
【図８】本発明の第２モードにおいて汚染度が高い場合と低い場合に、モータの回転速度が０に達する時間を比較したグラフである。
【図９】本発明の第２モードにおいてモータの速度測定を用いた空気清浄機のフィルター交換時期判断方法のフローチャートである。
【発明を実施するための形態】
【００２２】
以下、添付された図面を参照して本発明の実施形態を説明する。しかし、本発明の実施形態は、様々な他の形態に変形されることができ、本発明の範囲が以下で説明される実施形態のみにより限定されるものではない。図面に図示された構成要素の形状及び大きさなどは、より明確な説明のため誇張することがあり、図面上において同一の符号で示される構成要素は同一の構成要素である。
【００２３】
図２は、本発明のモータの速度測定を用いた空気清浄機のフィルター交換時期判断システムの構成図であり、図３は、図２の制御部の構成図である。図２及び図３に示されたように、モータ５００の速度測定を用いた空気清浄機のフィルター交換時期判断システムは、操作部１００、電源部２００、制御部３００、表示部４００を含み、制御部３００は、モータ速度測定部３１０、時間カウント部３２０、速度判断部３３０、時間比較部３４０、フィルター交換時期判断部３５０、電源遮断部３６０を含むことができる。
【００２４】
操作部１００は、ユーザから所望の運転情報（例えば、自動運転または手動運転）とその他の操作信号の入力を受ける。
【００２５】
電源部２００は、空気清浄機に電源を供給し、交流電源を整流及び平滑させて直流電源として供給する整流部と、整流部から供給される直流電源を、任意の可変周波数を有するパルス状の３相交流電源に変換しモータに供給するインバータと、から構成されることができる。
【００２６】
モータ速度測定部３１０は、空気清浄機に備えられたフィルターを動作させるモータの回転速度を測定する。モータの回転速度は、通常1分間当たりの回転数（ｒｐｍ）で示す。
【００２７】
時間カウント部３２０は、モータに電源を供給してモータが回転を開始する時、またはモータに供給される電源を遮断する時を始点としてそれ以後の時間をカウントする。
【００２８】
速度判断部３３０は、モータの回転速度が既設定された速度に達したかを判断する。
【００２９】
時間比較部３４０は、速度判断部３３０が、モータの回転速度が既設定された速度に達したと判断した時、時間カウント部３２０からカウントされた時間に関する情報を受信してカウントされた時間を既設定された時間と比較する。
【００３０】
フィルター交換時期判断部３５０は、モータの回転速度が既設定された速度に達するまでの時間と既設定された時間との比較結果によってフィルターの交換時期になったか否かを判断する。
【００３１】
上述したようなモータの速度測定を用いた空気清浄機のフィルター交換時期判断システムは、２つのモードに区分して具体的に述べることができる。
【００３２】
第１モードは、モータが回転し始めて目標速度に達するまでの時間をカウントしてフィルター交換時期を判断する場合であり、第２モードは、モータが目標速度で回転している時、モータに供給される電源を遮断した後にモータの回転速度が０に達するまでの時間をカウントしてフィルター交換時期を判断する場合である。
【００３３】
第１モードにおいて時間カウント部３２０は、モータに電源を供給してモータが回転し始めた時を始点としてそれ以後の時間をカウントし、速度判断部３３０は、モータの回転速度が目標速度に達したかを判断する。そして、時間比較部３４０は、速度判断部３３０がモータの回転速度が目標速度に達したと判断した時、時間カウント部３２０からカウントされた時間に関する情報を受信してカウントされた時間を既設定された時間と比較する。また、フィルター交換時期判断部３５０は、モータの回転速度が目標速度に達するまでの時間が既設定された時間より短い場合、フィルターの交換時期になったと判断してフィルターの交換信号を知らせるメッセージまたはアラーム信号を表示部４００に出力する。
【００３４】
第２モードにおいて電源遮断部３６０は、モータの回転速度が目標速度であると、モータに供給される電源を遮断し、時間カウント部３２０は、モータに供給される電源を遮断する時を始点としてそれ以後の時間をカウントする。そして、速度判断部３３０は、モータの回転速度が０に達するか否かを判断し、時間比較部３４０は、モータの回転速度が０に達したと判断した時、時間カウント部３２０からカウントされた時間に関する情報を受信してカウントされた時間を既設定された時間と比較する。また、フィルター交換時期判断部３５０は、モータの回転速度が０に達するまでの時間が既設定された時間より長い場合、フィルターの交換時期になったと判断してフィルターの交換信号を知らせるメッセージまたはアラーム信号を表示部４００に出力する。
【００３５】
表示部４００は、フィルター交換時期判断部３５０が出力するメッセージまたはアラーム信号を表示して、ユーザにフィルターの交換時期になったことを知らせる。ユーザは、メッセージまたはアラーム信号を通じてフィルターの交換時期になったことが分かり、空気清浄機に備えられたフィルターを交換して使用することができる。
【００３６】
図４は、本発明の第１モードにおいて、フィルターの汚染度が高い場合と低い場合に、空気清浄機に備えられたモータから発生するパルス信号を比較したグラフである。図４に示されたように、フィルターの汚染度が高い場合には（ａ）のようなパルス信号を示し、フィルターの汚染度が低い場合には（ｂ）のようなパルス信号を示す。
【００３７】
（ａ）は、フィルターの汚染度が高い場合で、ｔ１でモータの回転速度が目標速度に達し、（ｂ）は、フィルターの汚染度が低い場合で、ｔ２でモータの回転速度が目標速度に達する。（ａ）と（ｂ）の結果から、ｔ１がｔ２より小さいことが分かる。
【００３８】
フィルターの汚染度が高い場合、フィルターを通じて流入される空気の量が少なくモータの負荷が小くなり、フィルターの汚染度が低い場合、フィルターを通じて流入される空気の量が多くモータの負荷が大きくなる。従って、モータの負荷によってモータの回転速度が変わることを用い、モータの回転速度が目標速度に達するまでの時間をカウントしてフィルターの交換時期が分かるようになる。
【００３９】
図５は、本発明の第１モードにおいて汚染度が高い場合と低い場合に、モータの回転速度が目標速度に達するまでの時間を比較したグラフである。図５に示されたように、フィルターの汚染度が高い場合には（ａ）のようにモータの回転速度が目標速度に達するまでの時間がｔ１であり、汚染度が低い場合には（ｂ）のようにモータの回転速度が目標速度に達するまでの時間がｔ２である。この時、ｔ１＜ｔ２であることから、フィルターの汚染度が高いと、フィルターの汚染度が低い場合よりもモータが目標速度に達するまでの時間が短いことが分かる。
【００４０】
従って、本発明の空気清浄機では、フィルターの交換時期に該当するフィルターの汚染度を知っている状態で、モータの回転速度が目標速度に達するまでの時間をカウントすることによって、フィルターの交換時期を判断することができる。
【００４１】
図６は、本発明の第１モードにおいてモータの速度測定を用いた空気清浄機のフィルター交換時期判断方法のフローチャートである。図２及び図３を参照して図６について述べると、モータの速度測定を用いた空気清浄機のフィルター交換時期判断方法は以下のようである。
【００４２】
先ず、モータ速度測定部３１０は、空気清浄機に備えられたフィルターを動作させるモータの回転速度を測定し、時間カウント部３２０は、モータが回転し始めた時を始点としてそれ以後の時間をカウントする（Ｓ１１０）。モータの回転速度は、通常1分間当たりの回転数（ｒｐｍ）で示す。
【００４３】
その後、速度判断部３３０は、モータの回転速度が目標速度に達したか否かを判断する（Ｓ１２０）。
【００４４】
その後、時間比較部３４０は、モータの回転速度が目標速度に達するまでの時間を既設定された時間と比較する（Ｓ１３０）。
【００４５】
その後、モータの回転速度が、目標速度に達するまでの時間が既設定された時間より短い場合、フィルター交換時期判断部３５０は、フィルターの交換時期になったと判断してフィルターの交換信号を知らせるメッセージまたはアラーム信号を表示部に出力する（Ｓ１４１）。しかし、モータの回転速度が目標速度に達するまでの時間が既設定された時間と同一またはそれよりも長い場合には、フィルター交換時期判断部３５０はフィルターの交換時期になったと判断しない（Ｓ１４２）。
【００４６】
フィルターの汚染度が高い場合、フィルターを通じて流入される空気の量が少なくモータの負荷が小くなり、フィルターの汚染度が低い場合、フィルターを通じて流入される空気の量が多くモータの負荷が大きくなる。従って、モータの負荷によってモータの回転速度が変わることを用いて、モータの回転速度が目標速度に達するまでの時間をカウントしてフィルターの交換時期が分かる。
【００４７】
図７は、本発明の第２モードにおいてフィルターの汚染度が高い場合と低い場合に、空気清浄機に備えられたモータから発生するパルス信号を比較したグラフである。図７に示されたように、フィルターの汚染度が高い場合には（ａ）のようなパルス信号を示し、フィルターの汚染度が低い場合には（ｂ）のようなパルス信号を示す。
【００４８】
（ａ）は、フィルターの汚染度が高い場合で、ｔ１でモータの回転速度が目標速度に達した。この時、モータに供給される電源を遮断すると、モータは減速するようになり、ｔ３での回転速度が０に達した。
【００４９】
（ｂ）は、フィルターの汚染度が低い場合で、ｔ２でモータの回転速度が目標速度に達した。この時、モータに供給される電源を遮断すると、モータは減速するようになり、ｔ４での回転速度が０に達した。
【００５０】
（ａ）と（ｂ）の結果から、モータの回転速度が目標速度に達する時間ｔ１から回転速度が０に達する時間ｔ３までの経過時間が、モータの回転速度が目標速度に達する時間ｔ２から回転速度が０に達する時間ｔ４までの経過時間より長いことが分かる。
【００５１】
フィルターの汚染度が高い場合、フィルターを通じて流入される空気の量が少なくモータの負荷が小くなり、フィルターの汚染度が低い場合、フィルターを通じて流入される空気の量が多くモータの負荷が大きくなる。従って、モータの負荷によってモータの回転速度が変わることを用いて、モータの回転速度が０に達するまでの時間をカウントしてフィルターの交換時期が分かる。
【００５２】
図８は、本発明の第２モードにおいて汚染度が高い場合と低い場合に、モータの回転速度が０に達する時間を比較したグラフである。図８に示されたように、フィルターの汚染度が高い場合には（ａ）のようにモータの回転速度が目標速度から０に達するまでの時間がｔ２’であり、汚染度が低い場合には（ｂ）のようにモータの回転速度が目標速度から０に達するまでの時間がｔ１’である。この時、ｔ２’＞ｔ１’であることから、フィルターの汚染度の高い場合がフィルターの汚染度が低い場合よりも、モータの回転速度が０に達するまで多くの時間がかかることが分かる。
【００５３】
従って、本発明の空気清浄機では、フィルターの交換時期に該当するフィルターの汚染度を知っている状態で、モータの回転速度が０に達する時間をカウントすることによって、フィルターの交換時期を判断することができる。
【００５４】
図９は、本発明の第２モードにおいて、モータの速度測定を用いた空気清浄機のフィルター交換時期判断方法のフローチャートである。図２及び図３を参照して図９について述べると、モータの速度測定を用いた空気清浄機のフィルター交換時期判断方法は以下のようである。
【００５５】
先ず、モータ速度測定部３１０は、空気清浄機に備えられたフィルターを動作させるモータの回転速度を測定し、時間カウント部３２０は、モータが目標速度で回転する状態で電源遮断部３６０により電源が遮断された時を始点としてそれ以後の時間をカウントする（Ｓ２１０）。モータの回転速度は、通常1分間当たりの回転数（ｒｐｍ）で示す。
【００５６】
その後、速度判断部３３０は、モータの回転速度が０に達したか否かを判断する（Ｓ２２０）。
【００５７】
その後、時間比較部３４０は、モータの回転速度が０に達するまでの時間を既設定された時間と比較する（Ｓ２３０）。
【００５８】
その後、モータの回転速度が、０に達するまでの時間が既設定された時間より長い場合、フィルター交換時期判断部３５０は、フィルターの交換時期になったと判断してフィルターの交換信号を知らせるメッセージまたはアラーム信号を表示部に出力する（Ｓ２４１）。しかし、モータの回転速度が０に達するまでの時間が既設定された時間と同一またはそれよりも短い場合には、フィルター交換時期判断部３５０はフィルターの交換時期になったと判断しない（Ｓ２４２）。
【００５９】
フィルターの汚染度が高い場合、フィルターを通じて流入される空気の量が少なくモータの負荷が小くなり、フィルターの汚染度が低い場合、フィルターを通じて流入される空気の量が多くモータの負荷が大きくなる。従って、モータの負荷によってモータの回転速度が変わることを用いて、モータの回転速度が０に達するまでの時間をカウントしてフィルターの交換時期が分かる。
【００６０】
本発明は、上述した実施形態及び添付された図面によって限定されない。添付された請求の範囲によって権利の範囲を限定しようとし、請求の範囲に記載された本発明の技術的思想を外れない範囲内において多様な形態の置換、変形及び変更が可能であるということは当技術分野の通常の知識を有する者には自明である。
【符号の説明】
【００６１】
１００  操作部
２００  電源部
３００  制御部  
３１０  モータ速度測定部
３２０  時間カウント部
３３０  速度判断部
３４０  時間比較部
３５０  フィルター交換時期判断部
３６０  電源遮断部
４００  表示部
５００  モータ
【図１】
2010012463.tif 000003
【図２】
2010012463.tif 000004
【図３】
2010012463.tif 000005
【図４】
2010012463.tif 000006
【図５】
2010012463.tif 000007
【図６】
2010012463.tif 000008
【図７】
2010012463.tif 000009
【図８】
2010012463.tif 000010
【図９】
2010012463.tif 000011